【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
可変送信時間間隔（ＴＴＩ）の第１の部分において第１の許可を受信することと、ここにおいて、前記可変ＴＴＩの前記第１の部分が制御領域とデータ領域とを備え、前記データ領域が前記制御領域によってスケジュールされ、前記受信された第１の許可は、前記可変ＴＴＩの継続時間の指示を備える、
前記受信された第１の許可の前記可変ＴＴＩの前記継続時間の前記指示に少なくとも部分的に基づいて前記可変ＴＴＩの前記継続時間を決定することと
を備える、方法。
【請求項２】
前記受信された第１の許可に少なくとも部分的に基づいて前記可変ＴＴＩの前記第１の部分の前記データ領域のリソース上でデータを受信することをさらに備え、前記第１の許可がダウンリンク許可を備える、請求項１に記載の方法。
【請求項３】
前記可変ＴＴＩに続く後続のＴＴＩのリソース上で送信することをさらに備え、前記送信が前記受信された第１の許可に少なくとも部分的に基づいており、前記第１の許可がアップリンク許可を備える、請求項１に記載の方法。
【請求項４】
前記受信された第１の許可に少なくとも部分的に基づいて、前記可変ＴＴＩに続き、前記後続のＴＴＩに先行する切替え間隔を識別することをさらに備える、請求項３に記載の方法。
【請求項５】
前記可変ＴＴＩの前記第１の部分の前記制御領域において第２の許可を受信することと、
前記受信された第１の許可に少なくとも部分的に基づいて前記可変ＴＴＩの前記第１の部分の前記データ領域のリソース上でデータを受信することと、
前記受信された第２の許可に少なくとも部分的に基づいて後続のＴＴＩのリソース上で送信することと
をさらに備え、
ここにおいて、前記第１の許可がダウンリンク許可を備え、前記第２の許可がアップリンク許可を備える、請求項１に記載の方法。
【請求項６】
前記可変ＴＴＩの間に共通制御信号を受信することと、
前記受信された共通制御信号に少なくとも部分的に基づいて非アクティブ時間間隔を識別することと、
前記非アクティブ時間間隔を識別すると、スリープサイクルを開始することと
をさらに備える、請求項１に記載の方法。
【請求項７】
前記可変ＴＴＩの前記第１の部分がシンボル期間のセットを備え、
前記可変ＴＴＩが前記セットのうちの１つのシンボル期間を備える、請求項１に記載の方法。
【請求項８】
前記可変ＴＴＩの第２の部分において第２の許可を受信することと、ここにおいて、前記受信された第２の許可は、前記可変ＴＴＩの新しい継続時間の指示に備える、
前記受信された第２の許可の前記新しい継続時間の前記指示に少なくとも部分的に基づいて前記可変ＴＴＩの前記新しい継続時間を決定することと、
前記受信された第２の許可に少なくとも部分的に基づいて、前記可変ＴＴＩの前記第２の部分または後続のＴＴＩ内のリソース上で通信することと
をさらに備える、請求項１に記載の方法。
【請求項９】
前記可変ＴＴＩがシンボル期間のセットを備え、前記可変ＴＴＩの前記第１の部分および前記第２の部分が、各々、シンボル期間の前記セットのうちの１つのシンボルを備える、請求項８に記載の方法。
【請求項１０】
前記第１の許可がダウンリンク許可またはアップリンク許可のセットのうちの１つを備える、請求項１に記載の方法。
【請求項１１】
前記可変ＴＴＩの前記継続時間に少なくとも部分的に基づいて、ハイブリッド自動再送要求（ＨＡＲＱ）タイミングを決定することをさらに備える、請求項１に記載の方法。
【請求項１２】
ユーザ機器（ＵＥ）におけるワイヤレス通信のための装置であって、
可変送信時間間隔（ＴＴＩ）の第１の部分において第１の許可を受信するための手段と、ここにおいて、前記可変ＴＴＩの前記第１の部分が制御領域とデータ領域とを備え、前記データ領域が前記制御領域によってスケジュールされ、前記受信された第１の許可は、前記可変ＴＴＩの継続時間の指示を備える、
前記受信された第１の許可の前記可変ＴＴＩの前記継続時間の前記指示に少なくとも部分的に基づいて前記可変ＴＴＩの前記継続時間を決定するための手段と
を備える、装置。
【請求項１３】
前記受信された第１の許可に少なくとも部分的に基づいて前記可変ＴＴＩの前記第１の部分の前記データ領域のリソース上でデータを受信するための手段をさらに備え、ここにおいて、前記第１の許可がダウンリンク許可を備える、請求項１２に記載の装置。
【請求項１４】
前記可変ＴＴＩに続く後続のＴＴＩのリソース上で送信するための手段をさらに備え、ここにおいて、前記送信が前記受信された第１の許可に少なくとも部分的に基づいており、前記第１の許可がアップリンク許可を備える、請求項１２に記載の装置。
【請求項１５】
前記受信された第１の許可に少なくとも部分的に基づいて、前記可変ＴＴＩに続き、前記後続のＴＴＩに先行する切替え間隔を識別するための手段をさらに備える、請求項１４に記載の装置。
【手続補正２】
【補正対象書類名】明細書
【補正対象項目名】０１１７
【補正方法】変更
【補正の内容】
【０１１７】
[0133]本明細書に記載された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの様々なワイヤレス通信システムに使用される場合がある。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書に記載された技法は、上述されたシステムおよび無線技術ならびに他のシステムおよび無線技術に使用される場合がある。しかしながら、上記の説明は、例としてＬＴＥシステムを記載し、上記の説明の大部分においてＬＴＥ用語が使用されるが、本技法はＬＴＥの適用例以外に適用可能である。
以下に本願の出願当初の特許請求の範囲に記載された発明を付記する。
[Ｃ１]  ユーザ機器（ＵＥ）におけるワイヤレス通信の方法であって、
可変送信時間間隔（ＴＴＩ）の第１の部分において第１の許可を受信することと、ここにおいて、前記可変ＴＴＩの前記第１の部分が制御領域とデータ領域とを備え、前記データ領域が前記制御領域によってスケジュールされる、
前記受信された第１の許可に少なくとも部分的に基づいて前記可変ＴＴＩの継続時間を決定することとを備える、方法。
[Ｃ２]  前記受信された第１の許可に基づいて前記可変ＴＴＩの前記第１の部分の前記データ領域のリソース上でデータを受信することをさらに備え、前記第１の許可がダウンリンク許可を備える、Ｃ１に記載の方法。
[Ｃ３]  前記可変ＴＴＩに続く後続のＴＴＩのリソース上で送信することをさらに備え、前記送信が前記受信された第１の許可に基づいており、前記第１の許可がアップリンク許可を備える、Ｃ１に記載の方法。
[Ｃ４]  前記受信された第１の許可に基づいて、前記可変ＴＴＩに続き、前記後続のＴＴＩに先行する切替え間隔を識別することをさらに備える、Ｃ３に記載の方法。
[Ｃ５]  前記可変ＴＴＩの前記第１の部分の前記制御領域において第２の許可を受信することと、
前記受信された第１の許可に基づいて前記可変ＴＴＩの前記第１の部分の前記データ領域のリソース上でデータを受信することと、
前記受信された第２の許可に基づいて後続のＴＴＩのリソース上で送信することとをさらに備え、
ここにおいて、前記１の許可がダウンリンク許可を備え、前記第２の許可がアップリンク許可を備える、Ｃ１に記載の方法。
[Ｃ６]  前記可変ＴＴＩの間に共通制御信号を受信することと、
前記受信された共通制御信号に基づいて非アクティブ時間間隔を識別することと、
前記非アクティブ時間間隔を識別すると、スリープサイクルを開始することとをさらに備える、Ｃ１に記載の方法。
[Ｃ７]  前記可変ＴＴＩの前記第１の部分がシンボル期間のセットを備え、
前記可変ＴＴＩが前記セットの１つのシンボル期間を備える、Ｃ１に記載の方法。
[Ｃ８]  前記可変ＴＴＩの第２の部分において第２の許可を受信することと、
前記受信された第２の許可に基づいて前記可変ＴＴＩの前記継続時間を再決定することと、
前記受信された第２の許可に基づいて、前記可変ＴＴＩの前記第２の部分または後続のＴＴＩ内のリソース上で通信することとをさらに備える、Ｃ１に記載の方法。
[Ｃ９]  前記可変ＴＴＩがシンボル期間のセットを備え、前記可変ＴＴＩの前記第１の部分および前記第２の部分が、各々、シンボル期間の前記セットの１つのシンボルを備える、Ｃ８に記載の方法。
[Ｃ１０]  前記第１の許可がダウンリンク許可またはアップリンク許可のセットのうちの１つを備える、Ｃ１に記載の方法。
[Ｃ１１]  前記可変ＴＴＩの前記継続時間に基づいて、ハイブリッド自動再送要求（ＨＡＲＱ）タイミングを決定することをさらに備える、Ｃ１に記載の方法。
[Ｃ１２]  ユーザ機器（ＵＥ）におけるワイヤレス通信のための装置であって、
可変送信時間間隔（ＴＴＩ）の第１の部分において第１の許可を受信するための手段と、ここにおいて、前記可変ＴＴＩの前記第１の部分が制御領域とデータ領域とを備え、前記データ領域が前記制御領域によってスケジュールされる、
前記受信された第１の許可に少なくとも部分的に基づいて前記可変ＴＴＩの継続時間を決定するための手段とを備える、装置。
[Ｃ１３]  前記受信された第１の許可に基づいて前記可変ＴＴＩの前記第１の部分の前記データ領域のリソース上でデータを受信するための手段をさらに備え、ここにおいて、前記第１の許可がダウンリンク許可を備える、Ｃ１２に記載の装置。
[Ｃ１４]  前記可変ＴＴＩに続く後続のＴＴＩのリソース上で送信するための手段をさらに備え、ここにおいて、前記送信が前記受信された第１の許可に基づいており、前記第１の許可がアップリンク許可を備える、Ｃ１２に記載の装置。
[Ｃ１５]  前記受信された第１の許可に基づいて、前記可変ＴＴＩに続き、前記後続のＴＴＩに先行する切替え間隔を識別するための手段をさらに備える、Ｃ１４に記載の装置。
[Ｃ１６]  前記可変ＴＴＩの前記第１の部分の前記制御領域において第２の許可を受信するための手段と、
前記受信された第１の許可に基づいて前記可変ＴＴＩの前記第１の部分の前記データ領域のリソース上でデータを受信するための手段と、
前記受信された第２の許可に基づいて後続のＴＴＩのリソース上で送信するための手段とをさらに備え、
ここにおいて、前記１の許可がダウンリンク許可を備え、前記第２の許可がアップリンク許可を備える、Ｃ１２に記載の装置。
[Ｃ１７]  前記可変ＴＴＩの間に共通制御信号を受信するための手段と、
前記受信された共通制御信号に基づいて非アクティブ時間間隔を識別するための手段と、
前記非アクティブ時間間隔を識別すると、スリープサイクルを開始するための手段とをさらに備える、Ｃ１２に記載の装置。
[Ｃ１８]  前記可変ＴＴＩの第２の部分において第２の許可を受信するための手段と、
前記受信された第２の許可に基づいて前記可変ＴＴＩの前記継続時間を再決定するための手段と、
前記受信された第２の許可に基づいて、前記可変ＴＴＩの前記第２の部分または後続のＴＴＩ内のリソース上で通信するための手段とをさらに備える、Ｃ１２に記載の装置。
[Ｃ１９]  前記可変ＴＴＩがシンボル期間のセットを備え、前記可変ＴＴＩの前記第１の部分および前記第２の部分が、各々、シンボル期間の前記セットの１つのシンボル期間を備える、Ｃ１８に記載の装置。
[Ｃ２０]  前記可変ＴＴＩの前記第１の部分がシンボル期間のセットを備え、前記可変ＴＴＩが前記セットの１つのシンボル期間を備える、Ｃ１２に記載の装置。
[Ｃ２１]  前記第１の許可がダウンリンク許可またはアップリンク許可のセットのうちの１つを備える、Ｃ１２に記載の装置。
[Ｃ２２]  前記可変ＴＴＩの前記継続時間に基づいて、ハイブリッド自動再送要求（ＨＡＲＱ）タイミングを決定するための手段をさらに備える、Ｃ１２に記載の装置。
[Ｃ２３]  ユーザ機器（ＵＥ）におけるワイヤレス通信のための装置であって、
プロセッサと、
前記プロセッサと電子通信するメモリと、
前記メモリに記憶された命令とを備え、前記命令が、
可変送信時間間隔（ＴＴＩ）の第１の部分において第１の許可を受信することと、ここにおいて、前記可変ＴＴＩの前記第１の部分が制御領域とデータ領域とを備え、前記データ領域が前記制御領域によってスケジュールされる、
前記受信された第１の許可に少なくとも部分的に基づいて前記可変ＴＴＩの継続時間を決定することと
を行うように前記プロセッサによって実行可能である、装置。
[Ｃ２４]  前記命令が、
前記受信された第１の許可に基づいて前記可変ＴＴＩの前記第１の部分の前記データ領域のリソース上でデータを受信することを行うように前記プロセッサによって実行可能であり、前記第１の許可がダウンリンク許可を備える、Ｃ２３に記載の装置。
[Ｃ２５]  前記命令が、
前記可変ＴＴＩに続く後続のＴＴＩのリソース上で送信することを行うように前記プロセッサによって実行可能であり、前記送信が前記受信された第１の許可に基づき、前記第１の許可がアップリンク許可を備える、Ｃ２３に記載の装置。
[Ｃ２６]  前記命令が、
前記受信された第１の許可に基づいて、前記可変ＴＴＩに続き、前記後続のＴＴＩに先行する切替え間隔を識別することを行うように前記プロセッサによって実行可能である、Ｃ２５に記載の装置。
[Ｃ２７]  前記命令が、
前記可変ＴＴＩの前記第１の部分の前記制御領域において第２の許可を受信することと、
前記受信された第１の許可に基づいて前記可変ＴＴＩの前記第１の部分の前記データ領域のリソース上でデータを受信することと、
前記受信された第２の許可に基づいて後続のＴＴＩのリソース上で送信することとを行うように前記プロセッサによって実行可能であり、
前記１の許可がダウンリンク許可を備え、前記第２の許可がアップリンク許可を備える、Ｃ２３に記載の装置。
[Ｃ２８]  前記命令が、
前記可変ＴＴＩの間に共通制御信号を受信することと、
前記受信された共通制御信号に基づいて非アクティブ時間間隔を識別することと、
前記非アクティブ時間間隔を識別すると、スリープサイクルを開始することとを行うように前記プロセッサによって実行可能である、Ｃ２３に記載の装置。
[Ｃ２９]  前記命令が、
前記可変ＴＴＩの第２の部分において第２の許可を受信することと、
前記受信された第２の許可に基づいて前記可変ＴＴＩの前記継続時間を再決定することと、
前記受信された第２の許可に基づいて、前記可変ＴＴＩの前記第２の部分または後続のＴＴＩ内のリソース上で通信することとを行うように前記プロセッサによって実行可能である、Ｃ２３に記載の装置。
[Ｃ３０]  ユーザ機器（ＵＥ）におけるワイヤレス通信のためのコードを記憶する非一時的コンピュータ可読媒体であって、前記コードが、
可変送信時間間隔（ＴＴＩ）の第１の部分において第１の許可を受信することと、ここにおいて、前記可変ＴＴＩの前記第１の部分が制御領域とデータ領域とを備え、前記データ領域が前記制御領域によってスケジュールされる、
前記受信された第１の許可に少なくとも部分的に基づいて前記可変ＴＴＩの継続時間を決定することとを行うように実行可能な命令を備える、非一時的コンピュータ可読媒体。